(57)【特許請求の範囲】
【請求項１】
常態で常用電源からの電源電圧が供給される充電回路と；
常態で前記充電回路からの充電電流によって充電されるバッテリと；
非常事態が発生した場合に、前記バッテリから供給される充電電圧を高周波電圧に変換するインバータ回路と；
常態で前記充電回路からの充電電流を前記バッテリに供給し、非常事態が発生した場合には、前記バッテリの充電電圧を前記インバータ回路に供給する切替回路と；
前記インバータ回路の出力電圧を整流平滑して直流電圧を発生し、電源電圧として出力する平滑回路と；
避難誘導を行うための所定の誘導音声を音響出力するための音声情報を保持し、前記平滑回路からの電源電圧が与えられたときに、前記音声情報に基づく音声信号をスピーカに出力する音声発生回路と；
前記平滑回路から電源電圧が供給されたときに、ランプを発光させるための駆動信号を発生する発光駆動回路と；
周囲の煙の濃度が所定濃度以上になったときに停止信号を出力する、蓄積型でない煙感知器と；
前記煙感知器から停止信号が入力されたときに、所定時間だけ前記平滑回路から前記煙感知器への電源電圧の供給を停止させるように電源ラインをオフするスイッチを有し、かつ、前記停止信号の入力から所定時間が経過したとき、該スイッチをオンして、再度、前記平滑回路から前記煙感知器へ電源電圧を供給し、次に、前記煙感知器から再度、停止信号が入力されたとき、前記音声発生回路の音声信号及び前記発光駆動回路の駆動信号を停止させるリセット信号を発生する誘導停止用煙感知回路と；
を具備したことを特徴とする避難誘導装置。
【発明の詳細な説明】
【０００１】
【発明の属する技術分野】
本発明は、煙を感知して避難路への誘導等を制御する煙感知回路及び避難誘導制御装置に関する。
【０００２】
【従来の技術】
従来、避難通路及び避難階段等にはその位置を利用者に明らかにするための避難誘導表示器が設置されている。また、避難誘導表示器は、単に内蔵光源の点灯によって非常口を示すメッセージ又はシンボルマーク等を表示するだけでなく、火災時に煙が拡散した場合でも、確実に利用者を避難通路に誘導するために、キセノン管等の閃光装置を有するものもある。更に、目の不自由な利用者に対する避難誘導を確実にするために、火災時に音声メッセージ（誘導音声）を流すものも開発されており、利用者の迅速な避難を可能にしている。
【０００３】
これらの閃光及び誘導音声による避難誘導装置は、火災警報等に連動させて駆動するようになっている。この場合には、火災警報後に、避難誘導装置によって避難誘導している避難通路が、煙の拡散等によって危険な状態となる虞があるので、避難誘導装置に煙感知器等を備えて、煙感知器の感知結果によって閃光及び誘導音声等による避難誘導を停止させる避難誘導制御装置が用いられることがある。
【０００４】
従来の避難誘導制御装置においては、煙感知器と、この煙感知器の感知結果によってキセノン管及び誘導音声の音声発生回路等を制御する誘導停止用煙感知回路とを有しており、これらは相互に別ユニットで構成される。
【０００５】
煙感知器は、所定濃度以上の煙を感知すると、感知結果を誘導停止用煙感知回路に通知する。これにより、誘導停止用煙感知回路は、キセノン管及び音声発生回路等を停止させるための制御信号を出力するのである。煙感知器としては、ノイズによる誤動作等を防止するために、所定濃度以上の煙を感知した場合でも、直ぐには感知結果を出力せずに、所定時間経過後に感知結果を出力するという蓄積機能を有する蓄積型のものが採用されることもある。
【０００６】
しかしながら、蓄積型煙感知器は、構成が複雑であり高価であることから、全ての避難誘導装置において採用されるとは限らない。蓄積型の煙感知器が採用されていない場合には、本来誘導すべき避難通路においても、誤動作によって、閃光及び誘導音声等による避難誘導が停止されてしまうことがある。また、既に、煙感知器が備えられている場合には、誘導停止用煙感知回路を含むユニットのみを追加配置すればよいが、既設の煙感知器が蓄積型でない場合には、誤動作を防止するためには、煙感知器を蓄積型のものに取り換える必要がある。
【０００７】
【発明が解決しようとする課題】
このように、従来の避難誘導制御装置においては、煙感知器が蓄積型でない場合には、誤動作によって、避難誘導が確実に行われないことがあるという問題点があった。
【０００８】
本発明はかかる問題点に鑑みてなされたものであって、誘導停止用煙感知回路に蓄積機能を付与することによって、煙感知器が蓄積型でない場合でも、避難誘導を確実に制御することができる煙感知回路及び避難誘導制御装置を提供することを目的とする。
【０００９】
また、本発明は、既設の煙感知器が蓄積機能を有しているか否かに拘わらず、避難誘導を確実に制御することができる煙感知回路及び避難誘導制御装置を提供することを目的とする。
【００１０】
【課題を解決するための手段】
本発明の請求項１に係る避難誘導装置は、常態で常用電源からの電源電圧が供給される充電回路と；常態で前記充電回路からの充電電流によって充電されるバッテリと；非常事態が発生した場合に、非常事態が発生すると、前記バッテリから供給される充電電圧を高周波電圧に変換するインバータ回路と；常態で前記充電回路からの充電電流を前記バッテリに供給し、非常事態が発生した場合には、前記バッテリの充電電圧を前記インバータ回路に供給する切替回路と；前記インバータ回路の出力電圧を整流平滑して直流電圧を発生し、電源電圧として出力する平滑回路と；避難誘導を行うための所定の誘導音声を音響出力するための音声情報を保持し、前記平滑回路からの電源電圧が与えられたときに、前記音声情報に基づく音声信号をスピーカに出力する音声発生回路と；前記平滑回路から電源電圧が供給されたときに、ランプを発光させるための駆動信号を発生する発光駆動回路と；周囲の煙の濃度が所定濃度以上になったときに停止信号を出力する、蓄積型でない煙感知器と；前記煙感知器から停止信号が入力されたときに、所定時間だけ前記平滑回路から前記煙感知器への電源電圧の供給を停止させるように電源ラインをオフするスイッチを有し、かつ、前記停止信号の入力から所定時間が経過したとき、該スイッチをオンして、再度、前記平滑回路から前記煙感知器へ電源電圧を供給し、次に、前記煙感知器から再度、停止信号が入力されたとき、前記音声発生回路の音声信号及び前記発光駆動回路の駆動信号を停止させるリセット信号を発生する誘導停止用煙感知回路と；を具備したものである。
【００２０】
【発明の実施の形態】
以下、図面を参照して本発明の実施の形態について詳細に説明する。図１は本発明の一実施の形態に係る避難誘導制御装置が組み込まれた避難誘導システムを示すブロック図である。
【００２１】
管理装置１は、システム全体の例えば１カ所に配置され、避難誘導装置25は、避難通路及び避難階段等の避難誘導を行う必要がある複数の位置に配設される。管理装置１は、信号装置２及び移報検知回路３によって構成されており、信号装置２には適宜の複数の場所に配置された図示しない火災感知器等から火災等の非常事態が発生したことが通知されるようになっている。
【００２２】
信号装置２は、火災感知器等からの通知によって非常事態が発生したものと判断すると、この通知に基づく情報を移報検知回路３に出力するようになっている。移報検知回路３は、信号装置２からの情報に基づいて、避難誘導すべき避難通路及び避難階段等を把握し、これらの位置近傍に配設された避難誘導装置25の避難誘導制御装置21に非常事態が発生したことを示す制御信号を送出するようになっている。
【００２３】
避難誘導制御装置21は切替回路６、バッテリ７、インバータ回路８、平滑回路９及び誘導停止用煙感知回路10によって構成されている。避難誘導制御装置21は、常時電源電圧を発生する常用電源４に接続され、常態では充電回路５に常用電源４からの電源電圧が供給されるようになっている。
【００２４】
充電回路５は、切替回路６を介してバッテリ７に接続されている。切替回路６は、常態では充電回路５からの充電電流をバッテリ７に供給し、管理装置１からの制御信号によって非常事態が発生したことが通知された場合には、バッテリ７をインバータ回路８に接続するようになっている。これにより、常態では、バッテリ７は充電され、非常事態が発生すると、バッテリ７の充電電圧は、インバータ回路８に供給される。
【００２５】
インバータ回路８は、バッテリ７の出力を高周波電圧に変換し、平滑回路９はインバータ回路８の出力を整流平滑して、例えば２４Ｖの直流電圧を発生する。こうして、非常時には平滑回路９から直流電圧が出力される。平滑回路９からの直流電圧は、音声発生回路13及び発光駆動回路14に供給される。
【００２６】
音声発生回路13は、避難誘導を行うための所定の誘導音声を音響出力するための音声情報を保持しており、平滑回路９からの電源電圧が与えられると、音声情報に基づく音声信号をスピーカ15に出力するようになっている。スピーカ15は、音声信号が与えられて所定の誘導音声を音響出力する。
【００２７】
発光駆動回路14は、平滑回路９の出力を高周波高電圧に変換する図示しない電源回路及びキセノンランプ16にパルス状の駆動信号を供給するための発振回路等を含んでいる。発光駆動回路14は、平滑回路９から電源電圧が供給されると、キセノンランプ16を閃光させるための駆動信号を発生するようになっている。キセノンランプ16は、駆動信号が与えられて閃光を発生する。
【００２８】
本実施の形態においては、音声発生回路13及び発光駆動回路14に、誘導停止用煙感知回路10からのリセット信号が入力されると、スピーカ15への音声信号の供給及びキセノンランプ16への駆動信号の供給を停止させるようになっている。
【００２９】
平滑回路９の電源電圧は誘導停止用煙感知回路10及び煙感知器11にも供給される。煙感知器11は、例えば蓄積機能を有しない感知器である。煙感知器11は、周囲の煙の濃度が所定濃度以上になると、停止信号を誘導停止用煙感知回路10に出力するようになっている。
【００３０】
誘導停止用煙感知回路10は、煙感知器11への電源電圧の供給を停止させるスイッチ12を有しており、スイッチ12は、煙感知器11から停止信号が入力されると、所定時間だけ煙感知器11への電源電圧の供給を停止させるようになっている。スイッチ12は、停止信号の入力から所定時間が経過すると、再度煙感知器11に電源電圧を供給する。そして、誘導停止用煙感知回路10は、煙感知器11から再度停止信号が入力されると、リセット信号を発生して音声発生回路13及び発光駆動回路14に供給するようになっている。
【００３１】
なお、１回目の停止信号の入力によって、スイッチ12が煙感知器11への電源電圧の供給を停止させる時間（以下、蓄積時間という）は自由に設定可能である。しかし、蓄積時間は、煙感知器11を初期化する時間よりも長い時間に設定する必要がある。
【００３２】
また、誘導停止用煙感知回路10は、例えばオペレータの操作によって、スイッチ12の機能を停止させることもできるようになっている。スイッチ12の機能を停止させた場合には、誘導停止用煙感知回路10は、煙感知器11からの１回目の停止信号の入力で、リセット信号を発生するようになっている。煙感知器11が蓄積機能を有している場合には、スイッチ12の機能を停止させておくようになっている。
【００３３】
次に、このように構成された実施の形態の動作について説明する。
【００３４】
いま、煙感知器11が蓄積機能を有していないものとする。この場合には、誘導停止用煙感知回路10のスイッチ12の機能を利用可能に設定する。常態では、切替回路６は充電回路５の充電電流をバッテリ７に供給しており、バッテリ７は充電状態となっている。
【００３５】
ここで、適宜の位置に配置された火災感知器によって火災の発生が信号装置２に通知されるものとする。信号装置２は、火災感知器の通知に基づく情報を移報検知回路３に伝達する。移報検知回路３は、避難路として適した通路及び階段等に設置された避難誘導制御装置21に制御信号を送出する。
【００３６】
そうすると、切替回路６は、バッテリ７の充電電圧をインバータ回路８に供給する。これにより、避難誘導装置25はバッテリ７によって駆動されることになり、火災等によって常用電源４が利用不能となった場合でも、避難誘導が可能である。インバータ回路８はバッテリ７の出力を高周波電圧に変換し、平滑回路９は整流平滑して電源電圧を得る。
【００３７】
この電源電圧は音声発生回路13及び発光駆動回路14に供給される。音声発生回路13によって、所定の誘導音声の音声信号がスピーカ15に供給され、スピーカ15から誘導音声が音響出力される。また、発光駆動回路14によって、駆動信号がキセノンランプ16に供給されて、キセノンランプ16は閃光を発生する。
【００３８】
これにより、火災に伴う煙が拡散した場合でも、利用者は避難路を確実に認識することができ、迅速な避難が可能となる。
【００３９】
一方、平滑回路９からの電源電圧は、誘導停止用煙感知回路10を介して煙感知器11にも供給されており、煙感知器11によって、非常事態発生後における避難路近傍の煙濃度が検出されている。
【００４０】
ここで、煙感知器11が所定の濃度以上の煙が発生したものと感知するものとする。そうすると、煙感知器11は避難誘導を停止させるための停止信号を発生して誘導停止用煙感知回路10に出力する。誘導停止用煙感知回路10は、停止信号が与えられると、スイッチ12によって煙感知器11への電源電圧の供給を蓄積時間だけ停止させる。
【００４１】
蓄積時間が経過すると、スイッチ12は煙感知器11への電源電圧の供給を再開する。この時点においても、煙感知器11周囲の煙の濃度が危険レベルに到達している場合には、煙感知器11は２回目の停止信号を発生する。そうすると、誘導停止用煙感知回路10は、避難誘導装置25周囲が危険になったものと判断して、リセット信号を音声発生回路13及び発光駆動回路14に出力する。
【００４２】
リセット信号が入力されると、音声発生回路13はスピーカ15への音声信号の供給を停止して、誘導音声の出力を停止させる。また、発光駆動回路14は、キセノンランプ16への駆動信号の供給を停止して、閃光を停止させる。
【００４３】
これにより、利用者が、危険な避難路に誘導されることを防止する。
【００４４】
また、煙感知器11が例えば誤動作によって１回目の停止信号を出力していた場合には、蓄積時間が経過してスイッチ12から煙感知器11への電源電圧の供給が再開された時点において、煙感知器11は所定濃度以上の煙を感知しない。従って、この場合には、煙感知器11が２回目の停止信号を発生することはなく、音声発生回路13及び発光駆動回路14にリセット信号が供給されることはない。
【００４５】
これにより、安全な避難路については、閃光及び誘導音声によって確実に避難誘導が行われる。
【００４６】
煙感知器11として蓄積機能を有するものが用いられることもある。この場合には、誘導停止用煙感知回路10のスイッチ12の機能を停止させておく。これにより、誘導停止用煙感知回路10は煙感知器11の１回目の停止信号によってリセット信号を発生する。こうして、煙感知器11による蓄積時間及び誘導停止用煙感知回路10による蓄積時間だけ、避難誘導の制御が遅延してしまうことを防止することができる。
【００４７】
このように、本実施の形態においては、煙感知器の感知結果によって避難誘導装置を制御する避難誘導制御装置に蓄積機能を付加し、更に、煙感知器が蓄積機能を有するか否かによって蓄積機能の有効，無効の設定を行っており、煙感知器が蓄積機能を有するか否かに拘わらず、誤動作のない確実な避難誘導制御を可能にしている。
【００４８】
なお、上述した実施の形態においては、非常時に閃光又は音響出力する避難誘導装置を制御する避難誘導制御装置に蓄積機能を付加した例について説明したが、常態において発光して誘導を行う誘導灯を煙感知器の感知結果によって制御するものにも適用可能であることは明らかである。
【００４９】
【発明の効果】
以上述べたように、本発明の請求項１によれば、誘導停止用煙感知回路に蓄積機能を付与することによって、煙感知器が蓄積型でない場合でも、避難誘導を確実に制御することができるという効果を有する。
【図面の簡単な説明】
【図１】本発明の一実施の形態を示すブロック図。
【符号の説明】
１…管理装置
２…信号装置
３…移報検知回路
６…切替回路
７…バッテリ
８…インバータ回路
９…平滑回路
１０…誘導停止用煙感知回路
１１…煙感知器
１２…スイッチ
１３…音声発生回路
１４…発光駆動回路
１５…スピーカ
１６…キセノンランプ
【図１】
0003721751.tif 000002